(57)【要約】【課題】ＰＣ構造物の定着具周辺に発生するＰＣケーブルの折り曲げ現象を解消するためのＰＣケーブル定着具に関する。【解決手段】ＰＣケーブル６に取り付けられた係止部材８の反力をとるための定着板２と、コンクリート５中に埋設されてＰＣケーブル６の引張荷重をコンクリート５に伝達する開口支圧板３と、前記開口支圧板３の開口部３ａ周縁に固定された定着板受け材４とからなり、前記定着板受け材４に刻設されてなる１組の軸受け溝４ａと前記定着板２の両側面から突設した１組の回転軸２ｂとが嵌合され、前記定着板２の回転によって前記定着板２の取付角度をＰＣケーブル６の張力方向と直角をなすように調整可能としたことを特徴とするＰＣケーブル定着具１。【選択図】　図１
2004116082.tif 000002
【特許請求の範囲】
【請求項１】
ＰＣケーブルに取り付けられた係止部材の反力をとるための定着板と、コンクリート中に埋設されてＰＣケーブルの引張荷重をコンクリートに伝達する開口支圧板と、前記開口支圧板の開口部周縁に固定された定着板受け材とからなり、前記定着板受け材に刻設されてなる１組の軸受け溝と前記定着板の両側面から突設した１組の回転軸とが嵌合され、前記定着板の回転によって前記定着板の取付角度をＰＣケーブルの張力方向と直角をなすように調整可能としたことを特徴とするＰＣケーブル定着具。
【請求項２】
開口支圧板の開口部を中心として放射線状に複数組の軸受け溝が定着板受け材に刻設されており、任意の前記軸受け溝に定着板の回転軸を嵌合可能としたことを特徴とする請求項１に記載のＰＣケーブル定着具。
【発明の詳細な説明】
【０００１】
【発明の属する技術分野】
本発明は、特にＰＣ構造物の定着具周辺に発生するＰＣケーブルの折り曲げ現象を解消するためのＰＣケーブル定着具に関する。
【０００２】
【従来の技術】
ＰＣ鋼線、ＰＣより線などのＰＣケーブルによってコンクリートにプレストレスを導入してなるＰＣ構造物は、ＲＣ構造物と比較して長寿命、軽量、高耐力などの特徴を有していることから、橋梁やスラブなどに広く用いられている。
【０００３】
ＰＣ構造物におけるプレストレスの導入時には、ＰＣケーブルを緊張状態で固定するための定着具がＰＣ構造物の両端に不可欠となる。このＰＣ構造物における定着具は、コンクリートに埋設される支圧板と、ＰＣケーブルなどの緊張材を定着させるための定着板と、緊張材を留め付けるためのナットまたはクサビとから構成されている（例えば、特許文献１参照）。
【０００４】
【特許文献１】
特開平５−７９０１６号公報（図５、図６）
【０００５】
【発明が解決しようとする課題】
ここで、ＰＣケーブルの引張荷重をＰＣ構造物に効率的に伝播させるためには、定着具における定着板がＰＣケーブルの張力方向と直角をなし、かつコンクリートに埋設されている支圧板と定着板とが密着状態となる必要がある。この条件が満たされない場合には定着具付近でＰＣケーブルが折れ曲がってしまうため、ＰＣケーブルの破断による大事故につながるおそれがある。そのためＰＣ構造物の構築時には、ＰＣケーブルの取付角度の現地測定、定着具の取付位置測量等の芯だし作業や、コンクリート打設時における圧力や流動力等の影響を排除するためのＰＣケーブル仮固定作業などに高度の注意が求められていた。
【０００６】
また、ＰＣケーブルの定着位置が許容誤差を超えた場合には、コンクリートに埋設した定着板を一旦取り外してから再度固定する必要が生じるので、その作業が非常に煩雑であって改善の余地も多い。
【０００７】
本発明は前記従来技術の欠点を除くためにされたものであり、その目的は、コンクリートに埋設した定着板とＰＣケーブルとが多少誤差をもっていても、定着板を取り外す必要なく誤差を吸収することができるＰＣ構造物の定着具を提供することである。
【０００８】
【課題を解決するための手段】
（１）本発明における第１の発明は、ＰＣケーブル６に取り付けられた係止部材８の反力をとるための定着板２と、コンクリート５中に埋設されてＰＣケーブル６の引張荷重をコンクリート５に伝達する開口支圧板３と、前記開口支圧板３の開口部３ａ周縁に固定された定着板受け材４とからなり、前記定着板受け材４に刻設されてなる１組の軸受け溝４ａと前記定着板２の両側面から突設した１組の回転軸２ｂとが嵌合され、前記定着板２の回転によって前記定着板２の取付角度をＰＣケーブル６の張力方向と直角をなすように調整可能としたことを特徴とするＰＣケーブル定着具１である。
（２）本発明における第２の発明は、第１の発明において、開口支圧板３の開口部３ａを中心として放射線状に複数組の軸受け溝４ａが定着板受け材４に刻設されており、任意の前記軸受け溝４ａに定着板２の回転軸２ｂを嵌合可能としたことを特徴とする。
【０００９】
【発明の実施の形態】
以下、本発明の第１実施形態に係るＰＣケーブル定着具１を図１および図２を参照しつつ説明する。第１実施形態のＰＣケーブル定着具１は、定着板２、開口支圧板３および定着板受け材４とから構成されている。
【００１０】
第１実施形態の定着板は、矩形の定着板本体２ａと、定着板本体の両側面からそれぞれ突設した１組の回転軸２ｂとから構成されている。１組の回転軸２ｂは定着板本体２ａを挟んで直線をなすように定着板本体２ａに設けられており、定着板本体２ａの中央には、２つの回転軸２ｂを結んだ線と直交するようにＰＣケーブル挿通孔２ｃが定着板厚さ方向に開孔されている。
【００１１】
開口支圧板３はコンクリート５中に埋設されて、ＰＣケーブル６の引張荷重をコンクリート５に伝達する役目を果たすものである。開口支圧板３には、定着板本体２ａよりひと回り大きい相似形の開口部３ａが設けられており、開口部周縁には定着板受け材を受けるための環状の段差３ｂが形成されている。
【００１２】
定着板受け材４は、開口支圧板３の開口部３ａと同形状の開口を有する環状部材である。定着板受け材４の一方の開口面には定着板２の回転軸２ｂと対応するように１組の軸受け溝４ａが刻設されており、他方の開口面が開口支圧板３との接合面となっている。
【００１３】
第１実施形態のＰＣケーブル定着具１では、開口支圧板３の段差３ｂに定着板受け材４が配置され、定着板受け材４は開口支圧板３に溶接あるいは接着等の手段で固定されている。また定着板受け材４の軸受け溝４ａには定着板２の回転軸２ｂが嵌合されており、定着板２が定着板受け材４によって回転可能に軸支されている。
【００１４】
上記の第１実施形態のＰＣケーブル定着具１は以下のように使用される。
【００１５】
（１）まず定着板受け材４が固定された開口支圧板３をシース７の両端に取り付けてシース７および開口支圧板３を型枠内に配置し、型枠内にコンクリート５を打設する。したがって、ＰＣ構造物を構成するコンクリート５には開口支圧板３が埋設された状態となっている。
【００１６】
（２）コンクリート５の硬化後にシース７内にＰＣケーブル６を挿入する。またＰＣケーブル６の両端において、定着板２にＰＣケーブル６を挿通させておく。
【００１７】
（３）ＰＣケーブル６の一端あるいは両端をジャッキで緊張し、ナット、クサビなどの係止部材８をＰＣケーブル６に取り付け、係止部材８を定着板２に引っかけてＰＣケーブル６の端部を定着する。このときＰＣケーブル６の緊張力によって、定着板２は定着板受け材４に押し付けられるようにして軸止される。またＰＣケーブル６の引張荷重は、定着板２の回転軸２ｂを経て、開口支圧板３が埋設されたコンクリート５に伝達される。
【００１８】
本発明では定着板２が定着板受け材４によって回転可能に軸支されており、定着板２の取付角度を調整することができる。そのため図２（ｂ）に示すように、開口支圧板３に対してＰＣケーブル６が傾斜している場合でも、ＰＣケーブル６の理想的な配置状態（定着板２がＰＣケーブル６の張力方向と直角をなし、開口支圧板３と定着板２とが密着状態であること）を実現することができ、作業の難易度が大幅に低減される。従来ではＰＣケーブルを理想的な配置状態にできない場合には、ＰＣケーブルの折り曲げを防ぐためにコンクリートに埋設した定着板を一旦取り外してから最度固定していたので、このような煩雑な作業がなくなる点で非常に有利である。
【００１９】
（４）そしてジャッキを取り外し、ＰＣケーブル６の余長部分を切断する。そして必要に応じてシース７内にグラウトを充填する。
【００２０】
図３は本発明の第２実施形態に係るＰＣケーブル定着具１ａを示した図である。なお、第２実施形態において第１実施形態と共通の構成には同一符号を付して説明を省略する。
【００２１】
第２実施形態のＰＣケーブル定着具１ａでは、定着板本体２ａの形状と開口支圧板３および定着板受け材４の開口部とが円形であり、開口支圧板３の開口部を中心として放射線状に複数組の軸受け溝４ａが定着板受け材４に刻設されている。すなわち、定着板２の回転軸２ｂを任意の軸受け溝４ａに軸支させることが可能である。
【００２２】
第１実施形態ではＰＣケーブル６が回転軸に対して上下左右に複合して傾斜している場合、定着板２がＰＣケーブル６の張力方向と直角をなすように調整することができないが、第２実施形態では定着板２の回転軸２ｂを任意の軸受け溝４ａに軸支させることによって、ＰＣケーブル６が回転軸２ｂに対して上下左右に複合して傾斜している場合においても、定着板２がＰＣケーブル６の張力方向と直角をなすように調整できるようにしたものである。
【００２３】
【発明の効果】
本発明では定着板が定着板受け材によって回転可能に軸支されており、定着板の取付角度を調整することができる。そのため、ＰＣケーブルの定着位置の許容誤差を大きくしても、ＰＣケーブルの理想的な配置状態（定着板がＰＣケーブルの張力方向と直角をなし、支圧板と定着板とが密着状態であること）を実現することができ、作業の難易度が大幅に低減される。従来ではＰＣケーブルを理想的な配置状態にできない場合には、ＰＣケーブルの折り曲げを防ぐためにコンクリートに埋設した定着板を一旦取り外してから最度固定していたので、このような煩雑な作業がなくなる点で非常に有利である。
【００２４】
また開口支圧板の開口部を中心として放射線状に複数組の軸受け溝が定着板受け材に刻設することによって、定着板の回転軸を任意の軸受け溝に軸支させることが可能である。すなわち、ＰＣケーブルが回転軸に対して上下左右に複合して傾斜している場合においても、定着板がＰＣケーブルの張力方向と直角をなすように調整することが可能である。
【図面の簡単な説明】
【図１】（ａ）は第１実施形態のＰＣケーブル定着具の斜視図であり、（ｂ）は定着板を取り外した状態の第１実施形態のＰＣケーブル定着具の斜視図である。
【図２】（ａ）は第１実施形態のＰＣケーブル定着具の側面断面図であり、（ｂ）は使用状態における第１実施形態のＰＣケーブル定着具の側面図である。
【図３】定着板を取り外した状態の第２実施形態のＰＣケーブル定着具の斜視図である。
【符号の説明】
１，１ａ　ＰＣケーブル定着具
２　　定着板
２ａ　定着板本体
２ｂ　回転軸
２ｃ　ＰＣケーブル挿通孔
３　　開口支圧板
３ａ　開口部
３ｂ　段差
４　　定着板受け材
４ａ　軸受け溝
５　　コンクリート
６　　ＰＣケーブル
７　　シース
８　　係止部材
【図１】
2004116082.tif 000003
【図２】
2004116082.tif 000004
【図３】
2004116082.tif 000005